(57)【特許請求の範囲】
【請求項１】
エンボス部とデータ部を含む光ディスクにデータを記録する光ディスク装置であって、
前記エンボス部の再生率を向上させるようにデータ記録時の最適フォーカスオフセットをシフトさせて前記エンボス部を再生するとともに前記データ部にデータを記録する制御手段と、
再生信号を処理するフィルタ手段と、
前記フィルタ手段のフィルタ特性を変更する手段と、
を有し、前記制御手段は、前記フィルタ特性の変更後に前記データ記録時の最適フォーカスオフセットをシフトさせることを特徴とする光ディスク装置。
【請求項２】
請求項１記載の装置において、
前記フィルタ手段はイコライザを含み、
前記変更する手段は、前記イコライザのブースト量を増大させることで前記フィルタ特性を変更する
ことを特徴とする光ディスク装置。
【請求項３】
請求項１記載の装置において、
前記制御手段は、前記再生率がしきい値以上となるフォーカスオフセット範囲内に前記最適フォーカスオフセットをシフトさせることを特徴とする光ディスク装置。
【請求項４】
請求項１記載の装置において、
前記制御手段は、前記データ記録時の最適フォーカスオフセットをデータ再生時の最適フォーカスオフセットに近づけるようにシフトさせることを特徴とする光ディスク装置。
【請求項５】
エンボス部とデータ部を含む光ディスクにデータを記録する光ディスク装置であって、
前記エンボス部でデータを再生するときの最適再生フォーカスオフセット、前記データ部でデータを記録するときの最適記録フォーカスオフセットを記憶する記憶手段と、
再生信号を処理するフィルタ手段と、
前記フィルタ手段のフィルタ特性を変更する手段と、
前記エンボス部でデータを再生するときのフォーカスオフセットを前記最適記録フォーカスオフセットに仮設定し、かつ前記変更する手段で前記フィルタ特性を変更したときのデータ再生率がしきい値を超えるか否かを判定し、前記しきい値を超える場合には前記最適記録フォーカスオフセットにより前記エンボス部でデータを再生するとともに前記データ部でデータを記録し、前記データ再生率が前記しきい値を超えない場合には前記最適記録フォーカスオフセットを前記最適再生フォーカスオフセット側にシフトさせたフォーカスオフセットにより前記エンボス部でデータを再生するとともに前記データ部でデータを記録する制御手段と、
を有することを特徴とする光ディスク装置。
【請求項６】
請求項５記載の装置において、
前記制御手段は、前記最適記録フォーカスオフセットを前記最適再生フォーカスオフセット側にシフトさせる場合に、前記データ再生率が前記しきい値を超えるフォーカスオフセットのうち最も前記最適記録フォーカスオフセットに近いフォーカスオフセットにシフトさせることを特徴とする光ディスク装置。
【発明の詳細な説明】
【０００１】
【発明の属する技術分野】
本発明は光ディスク装置、特にＤＶＤ−ＲＡＭ等のエンボス部（あるいはヘッダ部）とデータ部をセクタに有する光ディスクにデータを記録する装置に関する。
【０００２】
【従来の技術】
ＤＶＤ−ＲＡＭ等の記録可能な光ディスクでは、図６に示されるように、各セクタ１０４がヘッダ部（エンボス部）１０４ａ及びデータ部１０４ｂを有しており、エンボス部１０４ａには当該セクタのアドレス情報が形成されている。アドレス情報は一般に４つのアドレスデータから構成されており、これら４つのアドレスデータは互いに同一で、いずれか一つのアドレスデータを再生できれば当該セクタのアドレス情報を得ることができる。再生時には、まずエンボス部１０４ａを再生してアドレス情報を得、次にデータ部１０４ｂを再生して再生ＲＦ信号を復調する。記録時も同様であり、再生パワーでエンボス部１０４ａを再生してアドレス情報を得、次にレーザパワーを記録パワーに増大させてデータ部１０４ｂにデータを記録する。
【０００３】
しかしながら、エンボス部とデータ部とでは物理的にディスク特性が異なるため、エンボス部を再生する場合とデータ部を再生あるいは記録する場合とでは最適な制御パラメータが異なり、例えばフォーカスオフセットを例にとってもエンボス部の最適な再生フォーカスオフセットと、データ部の最適な再生フォーカスオフセットは異なる。
【０００４】
このため、例えば特開２０００−２５１２７３号公報では、光ディスクのシーク時において制御パラメータを切り替えることが記載されている。具体的には、エンボス部１０４ａを再生する場合にはエンボス用パラメータを用い、データ部１０４ｂを再生する場合にはデータ用パラメータに切り替えるものである。
【０００５】
【発明が解決しようとする課題】
しかしながら、例えばフォーカス位置を切り替える場合、フォーカスアクチュエータの応答性を考慮するとエンボス部１０４ａとデータ部１０４ｂとの境界においてフォーカス位置を段階的に切り替えることは困難であり、現実にはデータ部１０４ｂ内にかなりの程度レーザビームが進行した時点で初めて所望のフォーカス位置に設定されることとなり、データ部１０４ｂを安定して再生することは困難となる。
【０００６】
特に、再生時のようにエンボス部１０４ａとデータ部１０４ｂをともに再生パワーで再生するのではなく、記録時のようにエンボス部１０４ａは再生パワーで再生しデータ部１０４ｂは記録パワーで記録する場合には、エンボス部１０４ａにおける最適な再生フォーカス位置とデータ部１０４ｂにおける最適な記録フォーカス位置が大きく異なることになるので、エンボス部１０４ａとデータ部１０４ｂの境界でフォーカス位置を急峻に変化させることはできない。一方、フォーカス位置を最適な記録フォーカス位置に固定してエンボス部１０４ａを再生した場合には、アドレス情報が得られず、あるいは局所的には得られたとしても光ディスク１００全体において常に得られず、安定した記録ができないおそれがある。逆に、最適な再生フォーカス位置でデータ部１０４ｂにデータを記録した場合には、記録品質例えばジッタなどが劣化する問題がある。
【０００７】
本発明は、上記従来技術の有する課題に鑑みなされたものであり、その目的は、エンボス部を確実に再生するとともにデータ部に確実にデータを記録することができる光ディスク装置を提供することにある。
【０００８】
【課題を解決するための手段】
上記目的を達成するために、本発明は、エンボス部とデータ部を含む光ディスクにデータを記録する光ディスク装置であって、前記エンボス部の再生率を向上させるようにデータ記録時の最適フォーカスオフセットをシフトさせて前記エンボス部を再生するとともに前記データ部にデータを記録する制御手段と、再生信号を処理するフィルタ手段と、
前記フィルタ手段のフィルタ特性を変更する手段とを有し、前記制御手段は、前記フィルタ特性の変更後に前記データ記録時の最適フォーカスオフセットをシフトさせることを特徴とする。
【０００９】
また、本発明は、エンボス部とデータ部を含む光ディスクにデータを記録する光ディスク装置であって、前記エンボス部でデータを再生するときの最適再生フォーカスオフセット、前記データ部でデータを記録するときの最適記録フォーカスオフセットを記憶する記憶手段と、再生信号を処理するフィルタ手段と、前記フィルタ手段のフィルタ特性を変更する手段と、前記エンボス部でデータを再生するときのフォーカスオフセットを前記最適記録フォーカスオフセットに仮設定し、かつ前記変更する手段で前記フィルタ特性を変更したときのデータ再生率がしきい値を超えるか否かを判定し、前記しきい値を超える場合には前記最適記録フォーカスオフセットにより前記エンボス部でデータを再生するとともに前記データ部でデータを記録し、前記データ再生率が前記しきい値を超えない場合には前記最適記録フォーカスオフセットを前記最適再生フォーカスオフセット側にシフトさせたフォーカスオフセットにより前記エンボス部でデータを再生するとともに前記データ部でデータを記録する制御手段とを有することを特徴とする。
【００１２】
このように、本発明に係る光ディスク装置では、エンボス部とデータ部の境界でフォーカスアクチュエータを急峻に変化させることができないことに鑑み、エンボス部とデータ部をともに同一のフォーカスオフセットで処理する。すなわち、同一のフォーカスオフセットでエンボス部を再生し、データ部にデータを記録する。フォーカスオフセットは最適な記録フォーカスオフセットではなく、エンボス部も確実に再生できるように最適な再生フォーカスオフセット側にシフトさせたものを用いる。これにより、データ部での記録品質を大きく損なうことなくエンボス部を確実に再生できる。
【００１３】
なお、本発明では最適な記録フォーカスオフセットでデータを記録せず、シフトさせた値で記録するため記録品質の若干の低下があり得る。そこで、再生時のフィルタ特性の変更でエンボス部の再生率を向上させ、次に記録フォーカスオフセットをシフトさせる、つまりフォーカスオフセットのシフトを補完的に用いることでより確実にデータを記録できる。
【００１４】
【発明の実施の形態】
以下、図面に基づき本発明の実施形態について説明する。
【００１５】
図１には、本実施形態に係る光ディスク装置の要部構成ブロック図が示されている。光ディスク装置は、光ピックアップ部１２、制御部１４及び信号処理部１６を有して構成される。
【００１６】
光ピックアップ部１２は、スピンドルモータ１０により回転駆動されるＤＶＤ−ＲＡＭ等の光ディスク１００にレーザ光を照射し、データの記録及び再生を行う。データ再生時には再生パワーでレーザ光を照射し、再生ＲＦ信号を信号処理部１６に出力する。また、データ記録時には制御部１４からの記録信号に基づいた記録パワーでレーザ光を照射し、データを記録する。なお、データ記録時には既述したように各セクタのエンボス部１０４ａを再生パワーで再生し、信号処理部１６でアドレス情報を得て当該セクタのデータ部１０４ｂにデータを記録する。
【００１７】
制御部１４は、記録データから記録信号を生成して光ピックアップ部１２に供給するとともに、光ピックアップ部１２のトラッキング及びフォーカスをサーボ制御する。トラッキングは信号処理部１６からのトラッキングエラー信号に基づいて制御し、フォーカスも信号処理部１６からのフォーカスエラー信号に基づいて制御する。再生時には、制御部１４は予め設定された最適な再生フォーカスオフセットでフォーカス位置を制御する。このとき、可能であれば従来技術と同様にエンボス部１０４ａとデータ部１０４ｂで異なるフォーカス位置としてもよい。また、記録時には、制御部１４は予め設定された最適な記録フォーカスオフセットで記録するのではなく、この記録フォーカスオフセットをシフトさせたオフセットで記録する。これにより、仮に記録フォーカスオフセットでエンボス部１０４ａを再生したならば再生不能（すなわち記録不能）となる事態を抑制し、エンボス部１０４ａのアドレスを再生できるとともにデータ部１０４ｂでのデータ記録も好条件で行う。
【００１８】
信号処理部１６は、光ピックアップ部１２からの再生ＲＦ信号を入力し、トラッキングエラー信号やフォーカスエラー信号を生成するとともに、データ部１０４ｂに記録されたデータを復調して出力する。また、最適な再生フォーカスオフセット及び記録フォーカスオフセットを決定する際に、再生ＲＦ信号のジッタやエラーレートを検出して制御部１４に供給する。
【００１９】
図２には、図１における制御部１４の構成ブロック図が示されている。信号処理部１６からのフォーカスエラー信号はフォーカス（ＦＳ）オフセット設定部１４ａに供給される。ＦＳオフセット設定部１４ａは、記憶部１４ｄに記憶されている制御パラメータに基づいてＦＳオフセットを調整し、フォーカスサーボ部１４ｂを介して光ピックアップ部１２のフォーカス位置を制御する。ＦＳオフセット設定部１４ａは、再生時には記憶部１４ｄに記憶されている最適な再生ＦＳオフセットＦｓｏｒに設定してエンボス部１０４ａ及びデータ部１０４ｂを再生する。また、記録時には記憶部１４ｄに記憶されている最適な記録ＦＳオフセットをΔｆだけシフトさせたオフセットに設定してエンボス部１０４ａを再生し、かつデータ部１０４ｂに記録する。Δｆは予め記憶部１４ｄに記憶された固定値でもよいが、本実施形態では再生フォーカスオフセットを最適値から変化させたときに所定のしきい値以上でアドレスを再生することができる範囲までシフトさせる。いずれにせよ、最適な記録ＦＳオフセットを最適な再生ＦＳオフセットの方にシフトさせ、エンボス部１０４ａを再生し易いようにする。所定のしきい値以上でアドレスを再生することができる範囲はアドレス検出率演算部１４ｃで検出され、記憶部１４ｄに記憶される。
【００２０】
同図（Ｂ）には、記憶部１４ｄに記憶される制御パラメータが示されている。記憶部１４ｄには、最適な再生ＦＳオフセットＦｓｏｒ、最適な記録ＦＳオフセットＦｓｏｗ、所定のしきい値であるアドレス検出率Ｓ及びアドレス検出率Ｓが得られる再生ＦＳオフセット範囲Ｄが記憶される。
【００２１】
アドレス検出率Ｓは任意に設定することが可能である。例えば、ＤＶＤ−ＲＡＭ４．７ＧＢディスクの場合、リードインエリア内の書き換え可能データゾーンではセクタ数が２５あり、１回転中のヘッダ部（エンボス部）のアドレス数は全部で４×２５＝１００存在することになる。そして、アドレス４個が全部検出できたセクタ数の全セクタ数に対する割合を再生率とし、しきい値ＳをＳ＝２０／２５と設定することができる。この場合、アドレス４個が全部検出できたセクタ数が２０個を越える場合にはアドレスを再生できたと判定し、それ以下である場合にはアドレスを検出できないと判定する。もちろん、他の設定方法も可能であり、アドレスを１個検出できる場合から４個検出できる場合のアドレス検出の総和を対象とし、しきい値ＳをＳ＝８０％として総和で８０個を超える場合にはアドレスを再生できたと判定し、そうでない場合には再生できないと判定してもよい。
【００２２】
なお、最適な再生ＦＳオフセット及び最適な記録ＦＳオフセットは、それぞれＦＳオフセットを変化させてデータを再生したときにジッタが最小となるオフセット、ＦＳオフセットを変化させてデータを記録し、この記録データを最適な再生ＦＳオフセットで再生したときにジッタが最小となるオフセットとして設定される。
【００２３】
また、制御部１４は記録時に記憶部１４ｄに記憶されている最適な記録ＦＳオフセットを最適な再生ＦＳオフセットの方向にシフトさせたオフセットに設定してエンボス部１０４ａを再生し、かつデータ部１０４ｂに記録するが、この場合にはデータ部１０４ｂに好条件でデータを記録することができるものの、最適値からはシフトするため必ずしも最良の条件でデータを記録できるとは限らない。そこで、他の方法、例えば信号処理部１６で再生ＲＦ信号からアドレスを復調する際のフィルタ特性を変更し、フィルタ特性の変更のみでは十分な再生率でエンボス部１０４ａのアドレスを再生できない場合に記録ＦＳオフセットをシフトさせることも好適である。以下、この場合について説明する。
【００２４】
図３には、信号処理部１６の要部構成図が示されている。信号処理部１６は、ローパスフィルタ（ＬＰＦ）１６ａ、イコライザ１６ｂ、ＰＬＬ（Phase Locked Loop）回路１６ｃ及び復調部１６ｄを有して構成される。
【００２５】
ＬＰＦは、再生ＲＦ信号から高周波ノイズを除去し、イコライザ１６ｂに出力する。イコライザ１６ｂは、再生ＲＦ信号の所定周波数帯域、特に３Ｔ近傍をブーストしてＰＬＬ回路１６ｃに出力する。ＰＬＬ回路１６ｃは入力信号からクロックを生成し、復調回路１６ｄでクロックに基づいてエンボス部１０４ａのアドレスやデータ部１０４ｂの記録データを復調する。
【００２６】
このように、信号処理部１６では所定周波数帯域をブーストして処理するが、アドレス再生率が低い場合にはブースト量を変化（増大）させることでアドレス再生率をある程度向上させることができる。制御部１４は、最適な記録ＦＳオフセットでエンボス部１０４ａを再生しても再生率が確保できない場合、まずフィルタ特性、具体的にはイコライザ１６ｂのブースト量を増大させ、それでも再生率が確保できない場合に最適オフセットをシフトさせるのである。
【００２７】
図４には、制御部１４の処理フローチャートが示されている。制御部１４は、まず最適な再生ＦＳオフセットＦｓｏｒを設定するとともに最適な記録ＦＳオフセットＦｓｏｗを仮設定する（Ｓ１０１）。ここで、「仮設定」とは、後に記録オフセットをシフトさせ、このシフトさせたオフセットで記録することを考慮したものである。
【００２８】
次に、アドレスが検出できる（再生できる）再生ＦＳオフセット範囲Ｄを検出する（Ｓ１０２）。具体的には、ＦＳオフセットを変化させて１回転中に復調したアドレス信号を信号処理部１６からアドレス検出率演算部１４ｃに供給する。アドレス検出率演算部１４ｃは、アドレス信号から再生率を演算し、記憶部１４ｄに記憶されているしきい値Ｓと比較する。そして、Ｓ値を超えたか否かを判定し、Ｓ値を超えた範囲を範囲Ｄとして記憶部１４ｄに記憶する。
【００２９】
範囲Ｄを検出した後、最適な記録ＦＳオフセットがこの範囲Ｄ内に位置しているか否かを判定する（Ｓ１０３）。そして、範囲Ｄ内に位置している場合には、記録ＦＳオフセットでエンボス部１０４ａを再生してもアドレスを再生できることになるので、Ｓ１０１で仮設定した記録ＦＳオフセットを最終的な記録ＦＳオフセットに設定する（Ｓ１０４）。
【００３０】
一方、記録ＦＳオフセットが範囲Ｄ内に位置していない場合には、この記録ＦＳオフセットではエンボス部１０４ａのアドレスを再生できないので、次に信号処理部１６のフィルタ特性が変更されたか否かを判定する（Ｓ１０５）。フィルタ特性が未だ変更されていない場合には、まずフィルタ特性を変更して（Ｓ１０６）、再びＳ１０２以降の処理を繰り返す。なお、フィルタ特性の変更とは、上述したようにイコライザのブースト量の増大である。フィルタ特性を変更して範囲Ｄを再び抽出し、この範囲Ｄ内に記録ＦＳオフセットが位置しているか否かを判定する。そして、位置している場合には、記録ＦＳオフセットをシフトさせることなくＳ１０１で仮設定した記録ＦＳオフセットを最終的な記録ＦＳオフセットに設定する（Ｓ１０４）。
【００３１】
フィルタ特性を変更しても未だ記録ＦＳオフセットが範囲Ｄ内に位置していない場合には、Ｓ１０５でＹＥＳと判定され、記録ＦＳオフセットをシフトさせる（Ｓ１０７）。
【００３２】
図５には、Ｓ１０７におけるシフト処理が模式的に示されている。図において、横軸はオフセット量、縦軸はアドレス検出率である。図中実線は再生ＦＳオフセットを変化させたときのアドレス検出率の変化である。Ｆｓｏｒでジッタが最小となり、アドレス検出率も最大となる。アドレス検出率ＤがＳ値を超える範囲が範囲Ｄである。一方、破線は記録ＦＳオフセットの変化であり、最適な記録ＦＳオフセットＦｓｏｗでジッタが最小となる。一般に、ＦｓｏｗとＦｓｏｒとは相違し、Ｆｓｏｗが範囲Ｄ内に存在しない場合には、図示の如くＦｓｏｗを範囲Ｄ内のオフセットにシフトさせる（図中矢印）。なお、シフトさせる際には、範囲Ｄの中で最も記録ＦＳオフセットＦｓｏｗに近い値ＦｓｏｗＡにシフトさせることが好適である。
【００３３】
以上のようにして最終的記録ＦＳオフセットを設定した後、この記録ＦＳオフセットでエンボス部１０４ａを再生してアドレスを再生し、データ部１０４ｂにデータを記録する（Ｓ１０８）。
【００３４】
このように、本実施形態では記録に最も適したＦＳオフセットでエンボス部１０４ａを再生できない場合には、フィルタ特性を変更し、次に記録ＦＳオフセットをシフトさせることでエンボス部１０４ａを再生し、データ部１０４ｂにデータを記録できる。
【００３５】
以上、本発明の実施形態について説明したが、本発明はこれに限定されるものではなく種々の変更が可能である。例えば、最適な記録オフセットＦｓｏｗでエンボス部１０４ａを再生したときに４個のアドレスの１個を再生できるレベルである場合、フィルタ特性を変更して４個のアドレスの２個以上を再生できるレベルとし、さらに記録ＦＳオフセットをシフトさせて４個のアドレスの４個全部を再生できるレベルとすることもできる。
【００３６】
また、グルーブに記録する場合とランドに記録する場合では最適な記録ＦＳオフセットが異なるため、上述した処理をランド、グルーブそれぞれについて行うこともできる。
【００３７】
さらに、本実施形態ではＤＶＤ−ＲＡＭについて説明したが、ＣＤ−Ｒでは光ディスク１００に所定周期で蛇行した溝（ウォブル）が形成されており、データ記録時にはこのウォブルを再生できるように記録時のＦＳオフセットを最適値からシフトさせることも可能であろう。この場合、ウォブルがエンボス部に相当すると考えられる。
【００３８】
【発明の効果】
以上説明したように、本発明によれば、一つのフォーカスオフセットでエンボス部を再生しつつデータを記録することができる。したがって、エンボス部とデータ部でフォーカスオフセットを切り替える必要がなくなり、安定してデータを記録することができる。
【図面の簡単な説明】
【図１】  実施形態に係る光ディスク装置の要部構成ブロック図である。
【図２】  図１における制御部の構成ブロック図である。
【図３】  図１における信号処理部の構成ブロック図である。
【図４】  実施形態の処理フローチャートである。
【図５】  記録ＦＳオフセットのシフト説明図である。
【図６】  光ディスクの説明図である。
【符号の説明】
１０  スピンドルモータ、１２  光ピックアップ部、１４  制御部、１６  信号処理部。
【図１】
0003671873.tif 000002
【図２】
0003671873.tif 000003
【図３】
0003671873.tif 000004
【図４】
0003671873.tif 000005
【図５】
0003671873.tif 000006
【図６】
0003671873.tif 000007